(57)【特許請求の範囲】
【請求項１】
第１ケース部材と、前記第１ケース部材に対して開閉可能に装着される第２ケース部材とを備え、前記第１ケース部材に前記第２ケース部材を装着した閉止状態で前記第１ケース部材および前記第２ケース部材に囲まれて形成されるケース内部に制御基板を収容する基板ケースユニットであって、
前記第１ケース部材に設けられて、前記閉止状態において前記第２ケース部材と対向する側に開口する第１ロック孔と、前記第１ロック孔内に装着されたロックバネとを有する第１ロック部と、
前記第２ケース部材に設けられて、前記閉止状態において前記第１ロック孔と位置整合して前記対向方向に貫通する第２ロック孔が形成された第２ロック部と、
前記第１ロック孔および前記第２ロック孔に挿入されて前記第１ロック部と前記第２ロック部とを係合連結させるロック部材とを備え、
前記ロックバネは、板厚方向に弾性変形可能な板バネ状の複数の側板部を組み合わせて中空の角筒形状に形成され、前記中空部が断面多角形状をなすとともに、前記側板部には前記板厚方向に貫通する係合溝が設けられ、
前記ロック部材は、前記第１ロック孔及び前記第２ロック孔に跨って挿入される軸部と、前記軸部の軸方向一端側に連設されて前記多角形の内接円よりも大径に形成された係合部とを有し、
前記閉止状態において、前記ロック部材の前記軸部を前記第１ロック孔および前記第２ロック孔に跨って挿入したとき、前記係合部が前記側板部を前記板厚方向に押圧して前記ロックバネを拡径させるよう弾性変形させることで、前記係合部が前記中空部に挿入されて前記係合溝に係合可能となることを特徴とする基板ケースユニット。
【請求項２】
前記第２ケース部材には、前記第２ロック孔の周囲において当該第２ロック孔と同軸的に形成された略円筒状のリブが突出されており、前記リブの先端面は周方向に沿って前記突出量が連続的に変化した波形に形成されていることを特徴とする請求項１に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたボトムケースとその前方に開閉可能に装着されるトップケースとからなる基板ケース内に収容されている。また、基板ケースには、ボトムケースに対してトップケースを閉止状態で装着したときに、ボトムケース側に形成した係合部とトップケース側に形成した係合部とが係合連結することで基板ケースを閉止状態でロックし、トップケース（もしくはボトムケース）とその係合部との間を繋ぐ連結部をニッパ等の工具を用いて切り離さない限り基板ケースを開放不能にする不正開放防止構造が設けられている（例えば、特許文献１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）と、前記第１ケース部材に対して開閉可能に装着される第２ケース部材（例えば、実施形態におけるトップケース１３０）とを備え、前記第１ケース部材に前記第２ケース部材を装着した閉止状態で前記第１ケース部材および前記第２ケース部材に囲まれて形成されるケース内部に制御基板（例えば、実施形態における主制御基板４１）を収容する基板ケースユニットであって、前記第１ケース部材に設けられて、前記閉止状態において前記第２ケース部材と対向する側に開口する第１ロック孔（例えば、実施形態におけるボトム側ロック孔１２６ａ）と、前記第１ロック孔内に装着されたロックバネとを有する第１ロック部（例えば、実施形態におけるボトム側ロック部１２３）と、前記第２ケース部材に設けられて、前記閉止状態において前記第１ロック孔と位置整合して前記対向方向に貫通する第２ロック孔（例えば、実施形態におけるトップ側ロック孔１３３ａ）が形成された第２ロック部（例えば、実施形態におけるトップ側ロック部１３３）と、前記第１ロック孔および前記第２ロック孔に挿入されて前記第１ロック部と前記第２ロック部とを係合連結させるロック部材とを備え、前記ロックバネは、板厚方向に弾性変形可能な板バネ状の複数の側板部（例えば、実施形態における主板部１２７ａ）を組み合わせて中空の角筒形状に形成され、前記中空部が断面多角形状をなすとともに、前記側板部には前記板厚方向に貫通する係合溝が設けられ、前記ロック部材は、前記第１ロック孔及び前記第２ロック孔に跨って挿入される軸部と、前記軸部の軸方向一端側に連設されて前記多角形の内接円よりも大径に形成された係合部とを有し、前記閉止状態において、前記ロック部材の前記軸部を前記第１ロック孔および前記第２ロック孔に跨って挿入したとき、前記係合部が前記側板部を前記板厚方向に押圧して前記ロックバネを拡径させるよう弾性変形させることで、前記係合部が前記中空部に挿入されて前記係合溝に係合可能となることを特徴とする。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】基板ケースのスライド装着方法を説明するための模式図である。
【図５】基板ケースの不正開放防止構造の斜視図である。
【図６】基板ケースの不正開放防止構造を正面側から見た分解斜視図である。
【図７】基板ケースの不正開放防止構造を裏面側から見た分解斜視図である。
【図８】基板ケースの不正開放防止構造の断面図である。
【図９】（Ａ）はロック部材とロックバネとの係合状態を示す斜視図、（Ｂ）はロック部材とロックバネとの係合状態を示す断面図である。
【図１０】基板ケースの不正開放防止構造の変形例を示す斜視図である。
【図１１】基板ケースの不正開放防止構造の変形例を示す断面図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００及び演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３及び図４を追加参照して説明する。ここで、図３は主制御基板ケースユニット１００の分解斜視図、図４は基板ケース１１０のスライド装着方法を説明するための模式図、である。なお、以降の説明においては、説明の便宜のため、上下及び左右前後の方向は、ぱちんこ遊技機ＰＭへの取付状態での方向として、図３の状態を基準にして定義しており、図３に示す矢印の方向をそれぞれ前後、左右、上下と称して説明する。
【００２０】
主制御基板ケースユニット１００は、ぱちんこ遊技機ＰＭにおける制御の中枢を担う前述の主制御基板４１と、主制御基板４１を内部に収容する略矩形容器状の基板ケース１１０と、を主体として構成されている。
【００２１】
主制御基板４１は、詳細図示を省略しているが、矩形形状のプリント配線板を基板として、ＣＰＵ、ＲＯＭ及びＲＡＭ等の電子デバイス４１１や抵抗、コンデンサ、コネクタ等の電子・電気部品が実装されて構成されている。この主制御基板４１は、基板ケース１１０（後述するトップケース１３０）の内面側にビス止め固定される。
【００２２】
基板ケース１１０は、遊技盤１０の背面に着脱されるボトムケース１２０と、このボトムケース１２０に着脱自在に取り付けられるトップケース１３０とを備えて構成されており、ボトムケース１２０にトップケース１３０を装着した閉止状態で前後整合するケース左端部及び右端部に、シール封印構造及び不正開放防止構造（共に詳細後述）が設けられている。ボトムケース１２０及びトップケース１３０は、互いの開口同士を相対向させた閉止状態で組み合わされて一体化される。ボトムケース１２０及びトップケース１３０は、共に無色透明な樹脂材料（例えば、ポリカーボネート等）を用いて射出成形等の成形手段により形成され、外部からでも基板ケース１１０内を視認可能に構成されている。
【００２３】
ボトムケース１２０は、底壁１２１ａ及びこの底壁１２１ａの周縁から立設される上下左右の側壁１２１ｂを有して全体として後面開放の矩形箱状に形成されたボトムケース本体１２１と、ボトムケース本体１２１の左端部に一体的に形成されたボトム側封印部１２２と、ボトムケース本体１２１の右端部に一体的に形成されたボトム側ロック部１２３とを有して構成される。ボトムケース本体１２１の上下の側壁１２１ｂには、底壁１２１ａからそれぞれ後方に向けて突出するボトム側スライド係合部１２１ｃが左右方向に並んで複数形成されている。
【００２４】
トップケース１３０は、底壁１３１ａ及びこの底壁１３１ａの周縁から立設される上下左右の側壁１３１ｂを有して全体として前面開放の矩形箱状に形成されたトップケース本体１３１と、このトップケース本体１３１の左端部に一体的に形成されたトップ側封印部１３２と、トップケース本体１３１の右端部に連結部１３３ａを介して一体的に繋がるトップ側ロック部１３３とを有して、ボトムケース１２０に対して左右方向（「スライド方向」とも称する）にスライド装着可能に構成されている。トップケース本体１３１の上下の側壁１３１ｂには、この側壁１３１ｂが延びる長手方向（左右方向）に沿って前面側に開口してボトムケース１２０のボトム側スライド係合部１２１ｃを受容可能な凹溝状のトップ側溝部１３１ｃが形成されるとともに、このトップ側溝部１３１ｃ内においてボトムケース１２０のボトム側スライド係合部１２１ｃと係合可能なトップ側スライド係合部１３１ｄが形成されている。トップケース１３０には、主制御基板４１のコネクタ（図示省略）の実装位置に対応して表裏貫通するコネクタ挿抜口１３１ｅが形成されており、主制御基板４１がトップケース１３０に取り付けられた状態で、主制御基板４１のコネクタがコネクタ挿抜口１３１ｅを通して外部に露出し、演出制御基板４２や払出制御基板４３等とハーネス（コネクタケーブル）を介して電気接続可能となる。
【００２５】
ボトムケース１２０にトップケース１３０を組み付けるには、図４に示すように、ボトムケース１２０に対してトップケース１３０を左方に若干ずらした状態で前後方向に対向させて、トップケース１３０のトップ側溝部１３１ｃにボトムケース１２０のボトム側スライド係合部１２１ｃを挿入し、トップケース１３０を右方向（以下において「閉止方向」とも称する）にスライド移動させることにより、ボトム側スライド係合部１２１ｃとトップ側スライド係合部１３１ｄとを係合させる。これにより、ボトムケース１２０とトップケース１３０とが互いの開口同士を相対向させた閉止状態で一体化される。そして、こうしてボトムケース１２０にトップケース１３０が組付けられた閉止状態において、前後に位置整合するボトム側封印部１２２とトップ側封印部１３２とを有してシール封印構造が構成されるとともに、同じく前後に位置整合するボトム側ロック部１２３とトップ側ロック部１３３とを有して不正開放防止構造が構成されている。
【００２６】
＜シール封印構造＞
シール封印構造は、従来から知られている構成であり、種々の構成が適宜採用されているが、本実施形態では、図３に示されているように、ボトムケース本体１２１の左端部に一体的に繋がって形成されたボトム側封印部１２２と、トップケース本体１３１の左端部に一体的に繋がって形成されたトップ側封印部１３２と、ボトム側封印部１２２に貼着されて基板ケース１１０を封印する封印シール１７０と、基板ケース１１０の開放時に封印シール１７０を破壊するカッター部材１７１と、から構成される。
【００２７】
封印シール１７０は、例えば紙製のシート部材の表面に、ＩＣチップ及びこれに繋がるアンテナ線が透明な樹脂フィルムによって覆われて形成されており、ＩＣチップに格納された種々の情報（例えば、ぱちんこ遊技機ＰＭに関する情報、主制御基板４１の識別情報など）がアンテナ線を介して基板ケース１１０の外部からでもリーダ装置によって読み取り可能となっている。封印シール１７０は、ボトム側封印部１２２にコ字状に折曲された状態で貼着される。
【００２８】
カッター部材１７１は、ボトム側封印部１２２に貼着された封印シール１７０を覆うように装着される。このカッター部材１７１は、基板ケース１１０の閉止状態においてはボトム側封印部１２２に装着されて封印シール１７０を外方から包囲して保護する一方、基板ケース１１０の開放時、すなわち、トップケース１３０をボトムケース１２０に対して左方向（以下において「開放方向」とも称する）にスライド移動させるとき、トップ側封印部１３２と協働して当該開放方向に移動することで、ボトム側封印部１２２に貼着された封印シール１７０を再生不能な程度に破壊するように構成されている。
【００２９】
＜不正開放防止構造＞
続いて、不正開放防止構造について図５〜図９を追加参照しながら説明する。ここで、図５は不正開放防止構造の斜視図、図６は不正開放防止構造を正面側から見た分解斜視図、図７は不正開放防止構造を裏面側から見た分解斜視図、図８は不正開放防止構造の断面図、図９（Ａ）はロック部材１４０とロックバネ１２７との係合状態を示す斜視図、図９（Ｂ）はロック部材１４０とロックバネ１２７との係合状態を示す断面図である。なお、図５〜図９においては、説明の理解を容易にするために、主制御基板ケースユニット１００から要部のみを切り離した状態でこれらのみを抜き出して図示している。また、図９では、ロック部材１４０とロックバネ１２７との関係を分かり易くするため、これらロック部材１４０およびロックバネ１２７のみを抜き出している。
【００３０】
不正開放防止構造は、図５に示すように、ボトムケース本体１２１の右端部に設けられたボトム側ロック部１２３と、トップケース本体１３１の右端部に断面半円筒状をなす連結部１３３ｄを介して設けられたトップ側ロック部１３３と、ボトム側ロック部１２３とトップ側ロック部１３３とを連結するためのロック部材１４０と、を有して構成される。なお、本実施形態では、基板ケース１１０に二組の不正開放防止構造が設けられているが、互いに同一構造となっているため、一方の不正開放防止構造のみを説明する。
【００３１】
ボトム側ロック部１２３は、図６〜図８に示すように、ボトムケース本体１２１に一体的に設けられた矩形箱状のボトム側収容部１２４と、このボトム側収容部１２４にインサート成形により埋設される円筒状のロックアッシー１２５とを有して構成される。
【００３２】
ロックアッシー１２５は、軸方向の両端に開口を有する略円筒状のアッシー本体１２６と、アッシー本体１２６に内包される角筒状のロックバネ１２７と、アッシー本体１２６の後面側の開口を閉鎖して固着される円盤状の底板１２８とを備えて構成される。
【００３３】
アッシー本体１２６は、金属材料を用いて段付きの中空円筒状に形成されており、その中心にはロック部材１４０の軸部１４１が挿入されるボトム側ロック孔１２６ａが前後に貫通して形成されている。ボトム側ロック孔１２６ａは、トップ側ロック部１３３と対向する側に開口してロック部材１４０の軸部１４１よりも大きい孔径をなす小径孔部１２６ｂと、ボトム側収容部１２４の底面に対向する側に開口して小径孔部１２６ｂよりも大きい孔径をなして内部にロックバネ１２７を収容する大径孔部１２６ｃとから形成されており、小径孔部１２６ｂと大径孔部１２６ｃとが前後方向に同軸的に繋がって配置されることで全体として段付き孔状を呈している。このボトム側ロック孔１２６ａのうち、小径孔部１２６ｂはロックバネ１２７を挿通不能な孔径に形成される一方、大径孔部１２６ｃはロックバネ１２７を挿通可能な孔径に形成されている。
【００３４】
ロックバネ１２７は、正三角形に配置された三枚の主板部１２７ａと、該三角形の頂部を面取り状に繋ぐように主板部１２７ａ同士を連結させる三枚の副板部１２７ｂとを有してなり、例えばバネ材（好適にはバネ用ステンレス鋼）を用いて全体として中空の角筒形状（略三角筒形状）に形成されている。ロックバネ１２７には、主板部１２７ａおよび副板部１２７ｂに包囲されて軸方向の両端で開放されるバネ空間部１２７ｃが形成されており、このバネ空間部１２７ｃにロック部材１４０の軸部１４１が受容されるようになっている。各主板部１２７ａには、その板厚方向に貫通する矩形の係合溝１２７ｄが上記のバネ空間部１２７ｃと連通したかたちで設けられている。ここで、主板部１２７ａにおいて中央の係合溝１２７ｄによって中心軸方向に二つに分断された残りの部位を「帯板部１２７ｅ」とも称する（図９を参照）。
【００３５】
三枚の主板部１２７ａによって画定される前記の三角形（断面三角形）は、その内接円がロック部材１４０の軸部１４１よりも小径に形成されている。ロックバネ１２７は、アッシー本体１２６内に固定されずフリー状態（自由状態）で配設されているが、該ロックバネ１２７がアッシー本体１２６内に挿入されると、ロックバネ１２７の外壁面とボトム側ロック孔１２６ａの内壁面との間には僅かなクリアランスしかないため、ボトム側ロック孔１２６ａ内でのロックバネ１２７の移動が実質的に拘束されて、常にロックバネ１２７の中心軸線（軸心）とボトム側ロック孔１２６ａの中心軸線（軸心）とがほぼ同心状に配置される。なお、無論のこと、ロックバネ１２７をアッシー本体１２６内に固定してもよい。
【００３６】
底板１２８は、金属材料を用いて薄板の円盤状に形成されており、アッシー本体１２６と組み合わされてロックバネ１２７を抜け止め状態としている。ここで、アッシー本体１２６の後面側（大径孔部１２６ｃの開口端側）には、その外形に合せた輪郭形状で軸方向に延びる薄肉壁面の加締部１２６ｆ（図７を参照）が周方向全周に亘って形成されており、アッシー本体１２６の大径孔部１２６ｃ内にロックバネ１２７を内包した収容状態で、加締部１２６ｆに円盤状の底板１２８を嵌め込んで両者を加締固着することにより、アッシー本体１２６の大径孔部１２６ｃが後面側から底板１２８によって閉鎖されることになり（その結果、ロックバネ１２７が取り外し不能になり）、それにより１個の個体としてのロックアッシー１２５が得られる。そして、かかる構成のロックアッシー１２５がボトムケース１２０の金型に装着されて、ボトム側ロック部１２３にインサートモールドされる。なお、底板１２８を缶詰の如く巻き締め工法によってアッシー本体１２６に固着してもよい。
【００３７】
また、ボトム側収容部１２４には、トップ側ロック部１３３と対向する側へ延出する複数のボトム側リブ１２４ａが板状に並列されており、ボトム側ロック部１２３にトップ側ロック部１３３が重ね合わされた際に、一対のボトム側リブ１２４ａの間にトップ側ロック部１３３がほぼ隙間なく挟まれた状態で保持されるようになっている（図５を参照）。また、ボトム側収容部１２４の右端部には、略コ字形に屈曲した嵌合アーム１２４ｂが一対のボトム側リブ１２４ａの間に位置して配設されている。
【００３８】
トップ側ロック部１３３は、図６〜図８に示すように、前後に貫通する円孔状のトップ側ロック孔１３３ａを有して略矩形のブロック状に形成されている。トップ側ロック孔１３３ａは、ボトム側ロック孔１２６ａの小径孔部１２６ｂと略同一の孔径で形成されており、基板ケース１１０の閉止状態においてボトム側ロック孔１２６ａと前後に位置整合して相互に連通するようになっている。トップ側ロック孔１３３ａの周囲には、円周方向に沿って高さが連続的に変化することで山部と谷部とが交互に形成された波形状をなすトップ側リブ１３３ｂが設けられている。また、トップ側ロック部１３３の右端部には、ボトム側ロック部１２３の嵌合アーム１２４ｂとスライド方向に嵌合可能な凸状の嵌合突起１３３ｃが設けられている。
【００３９】
ロック部材１４０は、図６〜図９に示すように、前後に延びる軸部１４１と、この軸部１４１の基端側において軸部１４１よりも大径の円盤状をなす操作部１４２とを有して、例えばステンレス合金や焼入鋼等の金属材料を用いて全体として段付き円筒状に形成されている。軸部１４１には、先端に向けて先細りとなる傾斜面１４３ａを有して錐頭円筒状に形成された係合部１４３が設けられるとともに、この係合部１４３と軸線方向に連続した位置に、ロックバネ１２７の帯板部１２７ｅよりも幅広に形成されて円周方向に沿って（全周に亘って）所定の深さを有する円環状の周溝１４４が設けられている。また、係合部１４３の基端側には、該ロック部材１４０の中心軸と直交する面内で環状に延びて、ロックバネ１２７に対する抜け止めとして作用する係止面１４３ｂが設けられている。軸部１４１の外径は、ロックバネ１２７の三枚の主板部１２７ａにて画定される三角形の内接円よりも大きく設定されているが、ロック部材１４０の軸部１４１をロックバネ１２７に押し込もうとすると、ロック部材１４０の傾斜面１４３ａの作用によってロックバネ１２７が軸線中心に拡径する方向へ弾性変形されることで、該軸部１４１の挿入が許容される（その結果として係合部１４３と係合溝１２７ｄとが係合する）。かかる構成のロック部材１４０は、その軸部１４１がボトム側ロック孔１２６ａとトップ側ロック孔１３３ａとに跨って挿入された状態でロックバネ１２７と係合可能であり、ロック部材１４０の操作部１４２の表面側を除き内部に隠蔽された内包状態で組み付けられて基板ケース１１０を開放不能に作用する。
【００４０】
なお、ロック部材１４０は、一組のボトム側ロック部１２３およびトップ側ロック部１３３に対して各一つ使用されることになるが、本実施形態で例示するように基板ケース１１０に二組のボトム側ロック部１２３およびトップ側ロック部１３３が設けられている構成においては、合計二つのロック部材１４０が必要となる。そのため、ロック部材１４０を用いていずれか一組のボトム側ロック部１２３とトップ側ロック部１３３とを係合させる際に、次回使用される未使用のロック部材（予備のロック部材）１４０を収容しておくための予備ロック部材収容部１２９，１３９が設けられている。
【００４１】
次に、このように構成される主制御基板ケースユニット１００における不正開放防止構造の作用を説明する。
【００４２】
まず、基板ケース１１０を組み立てるには、始めに、トップケース１３０をボトムケース１２０に対して左方向に若干ずらした位置で重ね合わせて、トップ側溝部１３１ｃにボトム側スライド係合部１２１ｃを挿入する。そして、トップケース１３０をボトムケース１２０に対して閉止方向に相対移動させて、トップケース１３０をボトムケース１２０にスライド装着する。これにより、ボトムケース１２０のボトム側スライド係合部１２１ｃとトップケース１３０のトップ側スライド係合部１３１ｄとが係合され、ボトムケース１２０とトップケース１３０とが互いの開口同士を相対向させた閉止状態となる。
【００４３】
このとき、不正開放防止構造では、トップ側ロック部１２３の嵌合突起１３３ｃがボトム側ロック部１２３の嵌合アーム１２４ｂに嵌合して、ボトム側ロック部１２３とトップ側ロック部１３３とが前後に対向して重ね合わされることで、ボトム側ロック孔１２６ａとトップ側ロック孔１３３ａとが同軸的に位置整合して互いの内空間同士が軸線方向に連続する（図８を参照）。そして、ロック部材１４０の軸線方向を両方のロック孔１２６ａ，１３３ａの軸線方向に整合させた状態で、ロック部材１４０の軸部１４１をトップ側ロック孔１２６ａおよびボトム側ロック孔１３３ａに挿入する。
【００４４】
ここで、ロック部材１４０の軸部１４１がボトム側ロック孔１２６ａに挿入されると、このボトム側ロック孔１２６ａにはロックバネ１２７が内設されているため、ロック部材１４０の軸部１４１がロックバネ１２７の先端に当接する。このとき、ロック部材１４０をロックバネ１２７に挿入する際に、ロック部材１４０とロックバネ１２７との軸心同士に多少のずれがあったとしても、ロック部材１４０の先端には傾斜面１４３ａが形成されているので、この傾斜面１４３ａによる調心作用によってロック部材１４０の軸心とロックバネ１２７の軸心とがほぼ一致して、ロック部材１４０を正しく挿入可能な姿勢となる。そして、ロック部材１４０の軸部１４１を押し込むと、ロックバネ１２７がロック部材１４０の傾斜面１４３ａの作用を受けて外方向へ押圧されて拡径方向へ弾性変形され、これによりロック部材１４０がロックバネ１２７に挿入される。そして、ロック部材１４０の係合部１４３がロックバネ１２７の係合溝１２７ｄに達したところで、ロックバネ１２７が自身の復元弾性によって元の自然状態に復帰して、ロック部材１４０の係合部１４３とロックバネ１２７の係合溝１２７ｄとが係合することで（別の見方をすれば、ロック部材１４０の周溝１４４とロックバネ１２７の帯板部１２７ｅとが係合することで）、ボトム側ロック部１２３とトップ側ロック部１３３とがロック部材１４０を介して係合連結されたロック状態に保持される。このロック状態では、ロック部材１４０の軸部１４１がトップ側ロック孔１２６ａとボトム側ロック孔１３３ａとに跨って挿入されているため、トップケース１３０をボトムケース１２０に対して開放方向へスライド移動させることができず、基板ケース１１０は強固な閉止状態に保持される。
【００４５】
また、このロック状態では、例えば、ドリル等の機械的手段を用いて基板ケース１１０に小穴を開けて、外部から針金等の不正部材を侵入させてロック部材１４０又はロックバネ１２７に不正アクセスしたとしても、ロック部材１４０の係合部１４３はロックバネ１２７の三辺（三角形に配置された三枚の主板部１２７ａ）の各々に引っ掛かる構造となっているため、たとえロックバネ１２７全体を一方向へ変位させてそのうちの一辺のみの引っ掛かりを解除しようとしても、その他の二辺でより引っ掛かる方向へ作用するため、ロック部材１４０とロックバネ１２７との係合を解くのは非常に困難である。一方、ロックバネ１２７の三辺（三角形に配置された三枚の主板部１２７ａ）をそれぞれ外方へ引っ張って、三辺全部の引っ掛かりを解除しようとしても、少なくとも３本の不正部材を用いて該３カ所同時に操作をしなければならず、また、アッシー本体１２６の内壁面とロックバネ１２７との間には僅かなクリアランスしかないため（換言すれば、アッシー本体１２６の内壁面にロックバネ１２７がほぼ外接しているため）、ロックバネ１２７に対する当該操作が制限される結果、この場合にもロック部材１４０とロックバネ１２７との係合を解くのは非常に困難となる。
【００４６】
なお、このように閉止状態にロック保持された基板ケース１１０を開放するためには、トップ側ロック部１３３とトップケース本体１３１との間を繋ぐ連結部１３３ｄをニッパ等の作業工具を用いて切断し、ロック部材１４０を介してボトム側ロック部１２３と係合連結された状態のトップ側ロック部１３３をトップケース本体１３１から切り離せばよい。これにより、ボトムケース１２０とトップケース１３０との連結は絶たれ、基板ケース１１０が開放可能な状態となる。この状態から、トップケース１３０をボトムケース１２０に対して開放方向にスライド移動させて、ボトム側スライド係合部１２１ｃとトップ側スライド係合部１３１ｄとの係合を解除したところで、トップケース１３０とボトムケースと１２０を互いに離間させれば、ボトムケース１２０からトップケース１３０が取り外され、その結果として基板ケース１１０が開放される。
【００４７】
以上、本実施形態に係る主制御基板ケースユニット１００によれば、ロック部材１４０の係合部１４３がロックバネ１２７の三辺（三角形に配置された三枚の主板部１２７ａ）の各々に引っ掛かる構造であるので、ロック部材１４０の係合部１４３とロックバネ１２７の三辺とを同時且つ個別に解除しない限りは、ロックバネ１２７に対するロック部材１４０の引き抜きが実質的に出来なくなるため、基板ケース１１０の不正な開放を効果的に抑止して、主制御基板４１に対する不正な改造行為を受け難くすることが可能である。
【００４８】
また、本実施形態に係る主制御基板ケースユニット１００によれば、基板ケース１１０を上下反対向きの姿勢（ボトムケース１２０の底面が上を向く姿勢）で作業台等に載置して、基板ケース１１０の不正開放防止構造部分と作業台の間に受け具をあてがったうえで、上側からロック部材１４０を殴打して該ロック部材１４０をロックバネ１２７から抜去しようとしても、その下側ではトップ側リブ１３３ｂが周方向に沿って波形状に形成されており、このトップ側リブ１３３ｂのうち山部分（頂部）のみが受け具に当接していることで、殴打による負荷荷重がトップ側リブ１３３ｂの山部分に集中的に作用してトップ側リブ１３３ｂが簡単に破損されるため、この破壊の痕跡が明瞭に残存することに基づき、基板ケース１１０が開放されたことを容易に発見することが可能である。
【００４９】
従って、本実施形態によれば、不正行為の予防及び早期発見に寄与することが可能であるという効果を奏する。
【００５０】
次に、図１０および図１１を参照しながら不正開放防止構造の変形例を説明する。ここで、図１０は不正開放防止構造の変形例を示す斜視図、図１１は不正開放防止構造の変形例を示す断面図である。なお、この変形例では、前述の実施形態と同一の構成要素（又は同一の機能を有する構成要素）には同一番号を付して重複説明を省略し、主として前述の実施形態と異なる部分を中心に説明する。
【００５１】
本変形例に係る不正開放防止構造では、主として、ロックアッシー２２５、トップ側リブ２３３ｂおよびロック部材２４０の構成が前述の実施形態とは異なっている。まず、ロックアッシー２２５には、アッシー本体１２６内にロックバネ１２７が内蔵されておらず、アッシー本体１２６と底板１２８とを組み合わせて形成されている。続いて、トップ側リブ２３３ｂは、トップ側ロック孔１３３ａと同軸的に円弧状に湾曲形成されており、ロック部材２４０を固定するためのスウェージング溶着（超音波スウェージング）される部位となっている。次いで、ロック部材２４０は、前後に延びる軸部２４１と、この軸部２４１よりも大径の円盤状に形成された操作部２４２と、軸部２４１に凹設されたピン収容孔（図示省略）内に設けられて軸部２４１の中心軸と直交する方向に進退自在に支持された円筒状のロックピン２４３とを有している。ロックピン２４３は、ピン収容孔内に設けられたバネ（図示省略）の反発力によってピン先端部が軸部２４１の外方に突出するよう付勢配設されている。
【００５２】
かかる不正開放防止構造において、ロック部材２４０をトップ側ロック孔１３３ａおよびボトム側ロック孔１２３ａに跨って挿入すると、軸部２４１から突出状態のロックピン２４３がボトム側ロック孔１２３ａの内壁面と係合することで、ボトムケース１２０とトップケース１３０とがロック部材２４０を介して係合連結した状態となる。そして、トップ側リブ２３３ｂに対して超音波振動と同時に加圧力を加えて溶融し、トップ側リブ２３３ｂをロック部材２４０の操作部２４２の周縁を包み込むようスウェージング溶着することで、ロック部材２４０の操作部２４２をトップ側リブ２３３ｂ（トップケース２３０）に固定することができる。
【００５３】
従って、例えば、ドリル等の機械的手段を用いて基板ケース１１０に小穴を開けて、外部から針金等の不正部材を侵入させてロック部材２４０のロックピン２４３を軸部２４１内に押し込むことで、ロック部材２４０を引き抜こうとしても、このロック部材２４０はトップケース１３０に固定されているため、ロック部材２４０はロック状態で保持される。そのため、トップケース１３０を破壊しない限りはロック部材２４０を引き抜くことが出来なくなるので、ロック部材２４０に対する不正アクセスを効果的に防止して、セキュリティ性を向上させることができる。さらに、ロック部材２４０を引き抜くために、トップケース１３０を破壊した場合には、破壊の痕跡が明瞭に残存することにより、基板ケース１１０が開放されたことを容易に発見することが可能である。
【００５４】
なお、本発明は、上記実施形態に限定されるものではなく、本発明の要旨を逸脱しない範囲であれば適宜改良可能である。
【００５５】
上述の実施形態では、三枚の主板部と三枚の副板部とを交互に組み合わせてロックバネを形成しているが、これに限定されるものではなく、例えば三枚の主板部のみでロックバネを形成してもよい。ただし、互いに隣り合う主板部の間に副板部を面取り状に介在させることで、ロックバネの断面形状を小さくすることができ、ロックアッシー全体（ひいては不正開放防止構造）を小型コンパクト化することが可能となる。さらに、ロックバネは中空の角筒形状であれば、例えば三角筒形状、四角筒形状、五角筒形状、六角筒形状など、いずれの形状でもよい。
【００５６】
また、上述の実施形態では、スライド開閉型の基板ケースユニットを例示して説明したが、この構成に限定されるものではなく、例えばヒンジ開閉型などの他の基板ケースユニットであってもよい。
【００５７】
また、上述の実施形態では、不正開放防止構造およびシール封印構造の両方を具備する基板ケースユニットを適用したが、この構成に限定されるものではなく、不正開放防止構造のみを具備する基板ケースユニットであってもよい。
【００５８】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットなどに適用しても同様の効果を得ることが可能である。
【符号の説明】
【００５９】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ボトムケース（第１ケース部材）
１２１  ボトムケース本体
１２３  ボトム側ロック部（第１ロック部）
１２５  ロックアッシー
１２６  アッシー本体
１２６ａ  ボトム側ロック孔（第１ロック孔）
１２７  ロックバネ
１２７ａ  主板部（側板部）
１２７ｃ  バネ空間部（中空部）
１２７ｄ  係合溝
１３０  トップケース（第２ケース部材）
１３１  トップケース本体
１３３  トップ側ロック部（第２ロック部）
１３３ａ  トップ側ロック孔（第２ロック孔）
１３３ｂ  トップ側リブ（リブ）
１４０  ロック部材
１４１  軸部
１４３  係合部
【図１】
0006394109.tif 000002
【図２】
0006394109.tif 000003
【図３】
0006394109.tif 000004
【図４】
0006394109.tif 000005
【図５】
0006394109.tif 000006
【図６】
0006394109.tif 000007
【図７】
0006394109.tif 000008
【図８】
0006394109.tif 000009
【図９】
0006394109.tif 000010
【図１０】
0006394109.tif 000011
【図１１】
0006394109.tif 000012